(57)【要約】【課題】冷却貯蔵庫における扉ヒータを適正に制御して、断熱扉の露付きを確実に防止すること。【解決手段】外気温度センサ８５が外気温度を検出し、右冷蔵室温度センサ８０が冷蔵室２０の室内温度を検出する。そして、マイコン９０が外気温度センサ８５からの外気温度出力と右冷蔵室温度センサ８０からの冷蔵室２０の室内温度出力とを比較して、外気温度が冷蔵室２０の検出室内温度以下か否かを判定する。外気温度が冷蔵室２０の室内温度以下であると判定されると、マイコン９０は扉ヒータ３９をデューティ制御して、この扉ヒータ３９の通電率が７０％になるように制御する。外気温度が冷蔵室２０の室内温度以下でないと判定すると、マイコン９０は冷蔵室２０の検出室内温度と外気温度との温度差を算出し、この温度差が２５℃以上か否かを判定して、外気温度が高くて２５℃以上であれば扉ヒータ３９の通電率が６０％になるように制御する。【選択図】図１４
2010230221.tif 000002
【特許請求の範囲】
【請求項１】
枠体にガラスを嵌め込んで構成した冷却貯蔵室の前面開口を開閉する断熱扉に扉ヒータを設けた冷却貯蔵庫における扉ヒータの制御方法において、
外気温度センサが検出した外気温度が冷却貯蔵室温度センサが検出した冷却貯蔵室内温度以下か否か、或いは温度設定装置により設定された冷却貯蔵室の設定温度以下か否かを判定装置が判定し、
前記外気温度が前記冷却貯蔵室内温度以下、或いは前記設定温度以下であると前記判定装置が判定すると、制御装置が前記断熱扉に配設された扉ヒータの通電率が所定の割合となるように制御し、
前記外気温度が前記冷却貯蔵室内温度以下でない、或いは前記設定温度以下でないと前記判定装置が判定すると、制御装置が前記冷却貯蔵室内温度、或いは前記設定温度と前記外気温度との温度差に応じてある温度差の範囲内においては前記扉ヒータの通電率を前記所定の割合より順次低くなるように制御する
ことを特徴とする冷却貯蔵庫における扉ヒータの制御方法。
【請求項２】
枠体にガラスを嵌め込んで構成した冷却貯蔵室の前面開口を開閉する断熱扉に扉ヒータを設けた冷却貯蔵庫における扉ヒータの制御方法において、
外気温度センサが検出した外気温度が冷却貯蔵室温度センサが検出した冷却貯蔵室内温度以下か否か、或いは温度設定装置により設定された冷却貯蔵室の設定温度以下か否かを判定装置が判定し、
前記外気温度が前記冷却貯蔵室内温度以下、或いは前記設定温度以下か否かであると前記判定装置が判定すると、制御装置が前記断熱扉に配設された扉ヒータの通電率が所定の割合となるように制御し、
前記外気温度が冷却貯蔵室内温度以下でない、或いは前記設定温度以下でないと前記判定装置が判定すると、制御装置が前記冷却貯蔵室内温度、或いは前記設定温度と前記外気温度との温度差に応じてある温度差の範囲内においては大きい方から小さい所定温度までは前記扉ヒータの通電率を前記所定の割合より順次低くなるように制御する
ことを特徴とする冷却貯蔵庫における扉ヒータの制御方法。
【請求項３】
枠体にガラスを嵌め込んで構成した冷却貯蔵室の前面開口を開閉する断熱扉に扉ヒータを設けた冷却貯蔵庫における扉ヒータの制御装置において、
前記冷却貯蔵室の室内温度を設定する温度設定装置と、
外気温度を検出する外気温度センサと、
前記冷却貯蔵室の室内温度を検出する冷却貯蔵室温度センサと、
前記外気温度センサが検出した前記外気温度が冷却貯蔵室温度センサが検出した冷却貯蔵室内温度以下か否か、或いは前記温度設定装置により設定された設定温度以下か否かを判定する判定装置と、
この判定装置が前記外気温度が前記冷却貯蔵室内温度以下である、或いは前記設定温度以下であると判定すると前記断熱扉に配設された扉ヒータの通電率が所定の割合となるように制御すると共に、前記外気温度が前記冷却貯蔵室内温度以下でない、或いは前記設定温度以下でないと判定すると前記冷却貯蔵室内温度或いは前記設定温度と前記外気温度との差に応じてある温度差の範囲内においては前記扉ヒータの通電率を前記所定の割合より順次低くなるように制御する制御装置とを設けた
ことを特徴とする冷却貯蔵庫における扉ヒータの制御装置。
【請求項４】
枠体にガラスを嵌め込んで構成した冷却貯蔵室の前面開口を開閉する断熱扉に扉ヒータを設けた冷却貯蔵庫における扉ヒータの制御装置において、
前記冷却貯蔵室の室内温度を設定する温度設定装置と、
外気温度を検出する外気温度センサと、
前記冷却貯蔵室の室内温度を検出する冷却貯蔵室温度センサと、
前記外気温度センサが検出した前記外気温度が冷却貯蔵室温度センサが検出した冷却貯蔵室内温度以下か否か、或いは前記温度設定装置により設定された設定温度以下か否かを判定する判定装置と、
この判定装置が前記外気温度が前記冷却貯蔵室内温度以下である、或いは前記設定温度以下であると判定すると前記断熱扉に配設された扉ヒータの通電率が所定の割合となるように制御すると共に、前記外気温度が冷却貯蔵室内温度以下でない、或いは前記設定温度以下でないと判定すると前記冷却貯蔵室内温度或いは前記設定温度と前記外気温度との温度差に応じてある温度差の範囲内においては大きい方から小さい所定温度までは前記扉ヒータの通電率を前記所定の割合より順次低くなるように制御する制御装置とを設けた
ことを特徴とする冷却貯蔵庫における扉ヒータの制御装置。
【発明の詳細な説明】
【技術分野】
【０００１】
本発明は、枠体にガラスを嵌め込んで構成した冷却貯蔵室の前面開口を開閉する断熱扉に扉ヒータを設けた冷却貯蔵庫における扉ヒータの制御方法及びその制御装置に関する。
【背景技術】
【０００２】
ガラス扉への露付きを防止するヒータの発熱量を適正に制御する技術が、例えば特許文献１などで提案されている。この技術は、温度設定装置に設定された設定された設定温度が上昇された場合には、前記ヒータの発熱量を低減すると共に、設定温度が降下された場合には、前記ヒータの発熱量を増加させるものである。
【先行技術文献】
【特許文献】
【０００３】
【特許文献１】特開平６−１５９９０４号公報
【発明の概要】
【発明が解決しようとする課題】
【０００４】
しかし、この特許文献１で開示する技術では、外気温度を考慮していないために、冷却貯蔵室内外の温度差が大きいと、前述したような制御では、断熱扉の前面の露付きの防止が十分なものではないという問題があった。
【０００５】
そこで本発明は、冷却貯蔵庫における扉ヒータを適正に制御して、断熱扉の露付きを確実に防止することを目的とする。
【課題を解決するための手段】
【０００６】
このため第１の発明は、枠体にガラスを嵌め込んで構成した冷却貯蔵室の前面開口を開閉する断熱扉に扉ヒータを設けた冷却貯蔵庫における扉ヒータの制御方法において、
外気温度センサが検出した外気温度が冷却貯蔵室温度センサが検出した冷却貯蔵室内温度以下か否か、或いは温度設定装置により設定された冷却貯蔵室の設定温度以下か否かを判定装置が判定し、
前記外気温度が前記冷却貯蔵室内温度以下、或いは前記設定温度以下であると前記判定装置が判定すると、制御装置が前記断熱扉に配設された扉ヒータの通電率が所定の割合となるように制御し、
前記外気温度が前記冷却貯蔵室内温度以下でない、或いは前記設定温度以下でないと前記判定装置が判定すると、制御装置が前記冷却貯蔵室内温度、或いは前記設定温度と前記外気温度との温度差に応じてある温度差の範囲内においては前記扉ヒータの通電率を前記所定の割合より順次低くなるように制御する
ことを特徴とする。
【０００７】
第２の発明は、枠体にガラスを嵌め込んで構成した冷却貯蔵室の前面開口を開閉する断熱扉に扉ヒータを設けた冷却貯蔵庫における扉ヒータの制御方法において、
外気温度センサが検出した外気温度が冷却貯蔵室温度センサが検出した冷却貯蔵室内温度以下か否か、或いは温度設定装置により設定された冷却貯蔵室の設定温度以下か否かを判定装置が判定し、
前記外気温度が前記冷却貯蔵室内温度以下、或いは前記設定温度以下か否かであると前記判定装置が判定すると、制御装置が前記断熱扉に配設された扉ヒータの通電率が所定の割合となるように制御し、
前記外気温度が冷却貯蔵室内温度以下でない、或いは前記設定温度以下でないと前記判定装置が判定すると、制御装置が前記冷却貯蔵室内温度、或いは前記設定温度と前記外気温度との温度差に応じてある温度差の範囲内においては大きい方から小さい所定温度までは前記扉ヒータの通電率を前記所定の割合より順次低くなるように制御する
ことを特徴とする。
【０００８】
第３の発明は、枠体にガラスを嵌め込んで構成した冷却貯蔵室の前面開口を開閉する断熱扉に扉ヒータを設けた冷却貯蔵庫における扉ヒータの制御装置において、
前記冷却貯蔵室の室内温度を設定する温度設定装置と、
外気温度を検出する外気温度センサと、
前記冷却貯蔵室の室内温度を検出する冷却貯蔵室温度センサと、
前記外気温度センサが検出した前記外気温度が冷却貯蔵室温度センサが検出した冷却貯蔵室内温度以下か否か、或いは前記温度設定装置により設定された設定温度以下か否かを判定する判定装置と、
この判定装置が前記外気温度が前記冷却貯蔵室内温度以下である、或いは前記設定温度以下であると判定すると前記断熱扉に配設された扉ヒータの通電率が所定の割合となるように制御すると共に、前記外気温度が前記冷却貯蔵室内温度以下でない、或いは前記設定温度以下でないと判定すると前記冷却貯蔵室内温度或いは前記設定温度と前記外気温度との差に応じてある温度差の範囲内においては前記扉ヒータの通電率を前記所定の割合より順次低くなるように制御する制御装置とを設けた
ことを特徴とする。
【０００９】
第４の発明は、枠体にガラスを嵌め込んで構成した冷却貯蔵室の前面開口を開閉する断熱扉に扉ヒータを設けた冷却貯蔵庫における扉ヒータの制御装置において、
前記冷却貯蔵室の室内温度を設定する温度設定装置と、
外気温度を検出する外気温度センサと、
前記冷却貯蔵室の室内温度を検出する冷却貯蔵室温度センサと、
前記外気温度センサが検出した前記外気温度が冷却貯蔵室温度センサが検出した冷却貯蔵室内温度以下か否か、或いは前記温度設定装置により設定された設定温度以下か否かを判定する判定装置と、
この判定装置が前記外気温度が前記冷却貯蔵室内温度以下である、或いは前記設定温度以下であると判定すると前記断熱扉に配設された扉ヒータの通電率が所定の割合となるように制御すると共に、前記外気温度が冷却貯蔵室内温度以下でない、或いは前記設定温度以下でないと判定すると前記冷却貯蔵室内温度或いは前記設定温度と前記外気温度との温度差に応じてある温度差の範囲内においては大きい方から小さい所定温度までは前記扉ヒータの通電率を前記所定の割合より順次低くなるように制御する制御装置とを設けた
ことを特徴とする。
【発明の効果】
【００１０】
本発明は、冷却貯蔵庫における扉ヒータを適正に制御して、断熱扉の露付きを確実に防止することができる。
【図面の簡単な説明】
【００１１】
【図１】冷凍冷蔵庫の斜視図である。
【図２】冷凍冷蔵庫の各扉体を外した状態の本体の正面図である。
【図３】図２のＡ−Ａ断面図である。
【図４】図２のＢ−Ｂ断面図である。
【図５】図２のＣ−Ｃ断面図である。
【図６】縦断面する冷凍冷蔵庫の本体の斜視図である。
【図７】上縦仕切体と横仕切体とを内箱に固定した後に、下縦仕切体を組み込む前の状態を示す本体の斜視図である。
【図８】上縦仕切体と横仕切体とを内箱に固定した後に、下縦仕切体を組み込んだ後の状態を示す本体の斜視図である。
【図９】下風路形成体を取り付ける前において、内箱に冷却器を納めた状態の本体の簡略した正面図である。
【図１０】各風路の説明のための本体の簡略した正面図である。
【図１１】上風路形成体及び下風路形成体を取り付けた状態の本体の簡略した正面図である。
【図１２】冷却室の縦断右側面図である。
【図１３】冷凍冷蔵庫の制御ブロック図である。
【図１４】フローチャートを示す図である。
【発明を実施するための形態】
【００１２】
以下、図面に基づき本発明の実施形態につき説明する。図１乃至図６に示すように、先ず冷却貯蔵庫としての冷凍冷蔵庫１の本体２（断熱箱体）は、前面に開口部を有する鋼板製の外箱３と、この外箱３内に間隔を持たせて組み込まれ、前面に開口部を有する合成樹脂材料で作製された内箱４と、これら外箱３と内箱４との間に充填発泡された発泡ポリウレタン断熱材５とから構成されている。
【００１３】
そして、前記発泡ポリウレタン断熱材５を充填発泡する前に、図７に示すように、前記内箱４の上部において空間を左右に分割して仕切る上縦仕切体８及び左部において空間を上下に分割して仕切る横仕切体９を内箱４に固定して、内箱４に配設した治具と共に上縦仕切体８及び横仕切体９が内側から内箱４を堅固に支持する。このように支持した状態で、外箱３と内箱４との間に発泡ポリウレタン断熱材５を充填発泡する。
【００１４】
この発泡ポリウレタン断熱材５の充填後に、本体２の背面側下部の機械室１２内に冷凍サイクルを構成する圧縮機１３及び凝縮器用送風機１４を配設し、本体２底面の下方に凝縮器１５を配設し、また右の上下方向に長い冷蔵室２０下部と左の冷凍室２１下部の背方には両者に跨るように、内箱４の内側正面を凹ませて形成した冷却室１０内に蒸発器である冷却器１６を配設する。
【００１５】
そして、内箱４との間で天面風路５１を形成する天面風路形成体６及び内箱４との間で背面上風路５０を形成する上風路形成体７を内箱４に固定する。更に、送風機１７が開口部内に配設された取付板２３と、この取付板２３とは上部においては間隔を存して背面風路２６を形成するように取付板２３に固定される断熱材２４と、この断熱材２４の前面に固定される前カバー２５とが一体化されて構成された下風路形成体２７を内箱４に固定し、次いで下縦仕切体２８を横仕切体９の一部である連結風路形成体４２を介して上縦仕切体８と内箱４に固定する（図８参照）。
【００１６】
即ち、前記下縦仕切体２８は右側枠体２９と、左側枠体３１と、右側枠体２９と左側枠体３１との間に充填された断熱材３０とから構成され、軟質ウレタンフォーム材料から成る外観視コ字形状のシール材をこの下縦仕切体２８の前面を除く上面、後面及び下面の周囲に配設した状態として、内箱４内にこの下縦仕切体２８を納めて、下縦仕切体２８の前面の上下部の各取付片２８Ａに開設した取付穴２８Ｂにビス７５を挿入して、下縦仕切体２８を上縦仕切体８、内箱４に固定する。
【００１７】
このようにして、前記内箱４内の空間は断熱材をそれぞれ内部に備えた上縦仕切体８及び下縦仕切体２８により左右に仕切られ、更にこのように左右に仕切られた左の空間は内部に断熱材を備えた横仕切体９により上下に仕切られて、大きく３つに区画されて、右の冷蔵室２０、左上部の冷蔵室２２、左下部の冷凍室２１が形成される。
【００１８】
そして、右の冷蔵室２０の前面開口部には右上下部が回動可能に支持された扉体３５が配設され、前記左の冷蔵室２２及び冷凍室２１前面開口部にも夫々左上下部が回動可能に支持された扉体３６、３７が配設される。右の冷蔵室２０に対応する断熱扉体である扉体３５は、図５に示すように、その間に空気層を有する、例えば３枚の透明なガラス３２と、これらを囲んでスペーサを介在させて気密状態とするアルミニウム製の枠体３３とから構成され、枠体３３の左端前部には把手３４が形成される。また、真ん中のガラス３２の前面には通電すると発熱する透明なフィルムヒータである扉ヒータ３９が接着されてあり、一番手前のガラス３２裏面は黒色の塗装がなされている。
【００１９】
そして、前記冷却器１６の下方にはこの冷却器１６に付着した霜を溶かすためのガラス管ヒータなどの霜取りヒータ４１が設けられ、図９に示すように、前記内箱４の内側正面に形成した冷却室１０は冷却器１６の前後の厚さと略同じ長さに凹ませて形成され、また冷却器１６の右側方の内箱４にはこの冷却器１６の前後の厚さと略同じ高さの遮壁１１を形成して冷却器４の右側方から入り込まないようにする。また、この冷却器１６の右側方の遮壁１１の隣には、冷却室１０に右下方から連通する冷蔵用戻り風路４５が内箱４を凹ませて形成されてある。
【００２０】
従って、前記送風機１７が運転すると、冷却器１６で生成された冷気は冷却室１０内を上昇し、送風機１７により吸い込まれて、この送風機１７を通過して背面風路２６内に入る。そして、取付板２３と断熱材２４とで形成される通過口４８及び右の冷蔵室２０に配設された連結風路形成体４２に上下方向に貫通して形成された貫通口（ダンパー４７が配設される。）４９を介して、上風路形成体７と内箱４とで形成された上昇用の背面上風路５０及び天面風路５１へと導かれる（図１０参照）。このとき、連結風路形成体４２に配設されたダンパー４７は、背面風路２６と上昇用背面上風路５０とを連通又は遮断して、冷気循環路を開閉する。具体的には、前記ダンパー４７は、右の冷蔵室２０の温度を検出する右冷蔵室温度センサ８０の出力信号にもとづいて後述するマイクロコンピュータ９０によりダンパーモータ４７Ａが作動して、背面風路２６と上昇用背面上風路５０とを連通又は遮断して、冷気循環路を開閉する。
【００２１】
そして、前記天面風路５１は前記上縦仕切体８の上部に開設された導入貫通口５２に連通して、冷気はこの導入貫通口５２を介して天面風路５１から左上部の冷蔵室２２内に供給されると共に上縦仕切体８内に形成された縦風路５４内を少し下降し、上縦仕切体８の左側面の上下の中間位置に開設された吹出連通口５３をして前記左の冷蔵室２２内に供給される。従って、前記上縦仕切体８内に縦風路５４を形成することにより、風路形成のための特別な構造体が必要なく、また庫内容積を大きくすることができる。
【００２２】
また、上昇用背面上風路５０内を上昇した冷気は、上風路形成体７に形成された下降用の背面上風路５５を下降して、これに連通する冷気吹出口（背面上風路５５に形成する。）５６を介して右の冷蔵室２０内に供給されて、この冷蔵室２０内を下降する。更に、吹出連通口５３を介して左の冷蔵室２２内に供給されて、この冷蔵室２２内を下降するが、横仕切体９があるので、上縦仕切体８下部に開設された連通用の貫通口５９を介して右の冷蔵室２０内に供給され、この冷蔵室２０内を下降する。
【００２３】
従って、右の冷蔵室２０において、下縦仕切体２８の支持部３８や内箱４の支持部６３に支持された複数の開口を有する載置棚４０上に載置した食品などを、冷蔵できる。なお、左の冷蔵室２２下部の冷気が通過する貫通口５９と前記吹出口５６とは、その下端同士が上下の位置関係では略同じ高さレベルに開設される。
【００２４】
このため、この冷気吹出口５６や上縦仕切体８下部に開設された連通用の貫通口５９より下方の冷蔵室２０の空間は、この冷気吹出口５６や貫通口５９より上方の冷蔵室２０の空間より温度を低くすることができ、上方の空間は冷気を直接供給しないで上昇用背面上風路５０及び天面風路５１内に冷気を循環させることにより間接的に冷却してワインなどに適した、例えば１０℃から１２℃程度の温度帯として、下方の空間には冷気を供給して、例えば５℃程度の通常の冷蔵温度帯とすることができる。従って、右の冷蔵室２０において、冷気吹出口５６や貫通口５９より上方において上縦仕切体８の支持部１９や内箱４の支持部６３に支持された載置棚１８上にワインを載置することにより、ワインを適温状態で保存できる。
【００２５】
そして、右の冷蔵室２０内に供給された冷気は下降して、この冷蔵室２０から下風路形成体２７に形成された導出口６０を介して前記戻り風路４５内に入り、遮壁１１により冷却器１６の右側方からこの冷却器１６に入り込まないように下降して廻り込んで、冷却器１６の下方に配設された霜取りヒータ４１を経て下方から冷却器１６に戻るように導かれる。
【００２６】
なお、前記導出口６０の下端は、冷却器１６の下端より上方に位置するように形成され、前記送風機１７が停止した際に、冷却器１６で生成された冷たい冷気が下降しても、冷蔵用戻り風路４５から前記導出口６０を経て右の冷蔵室２０内に入り込むのを防止して、冷却器１６よりも下方に位置する冷蔵室２０内の空間が必要以上に冷える冷え過ぎを防止することができる。
【００２７】
以上のように、上縦仕切体８下部に形成された連通用の貫通口５９を介して左の冷蔵室２２下部から右の冷蔵室２０内に吹出されて、この右の冷蔵室２０内を下降して前記冷却器１６の右外方に位置する導出口６０から前記戻り風路４５内を下降して廻り込んで下から冷却器１６に戻るので、左の冷蔵室２２と右の冷蔵室２０の冷気吹出口５６より下方の貯蔵空間との温度差を小さくできると共に、左の冷蔵室２２の上下の温度差を小さくすることができる。
【００２８】
また、上縦仕切体８下部に形成された連通用の貫通口５９を介して左の冷蔵室２２の下部から右の冷蔵室２０内に冷気を供給するようにしたから、専用の冷気戻りダクトが不要となる。この場合、左の冷蔵室２２の温度が高くなると、右の冷蔵室２０の温度も高くなるので、特別な風量のコントロールが不要となって、部品点数も削減される。
【００２９】
一方、冷気が冷却室１０内を上昇し、送風機１７を通過して前記背面風路２６内に入るが、下風路形成体２７において、右の冷蔵室２０の背方における断熱材２４の厚さより冷凍室２１の背方における断熱材２４の厚さを薄くして、この薄くした断熱材２４の後方に形成された背面風路２６内を冷気が上昇すると共に下降し、下風路形成体２７に所定間隔を存して形成された複数の吹出口６１を介して冷凍室２１内に供給され、冷凍に供される（図１１参照）。また、最下の吹出口６１はダクト６２を介して最下部の収容容器６４内に供給される。
【００３０】
以上のように、背面風路２６を形成する下風路形成体２７を断熱壁体で構成すると共に、右の冷蔵室２０前方の下風路形成体２７の断熱材２４の厚さを冷凍室２１前方の下風路形成体２７の断熱材２４の厚さより厚く構成することにより、下縦仕切体２８により左右に分割されて形成された冷蔵室２０と冷凍室２１にまたがる背面下部に冷却器１６を配設しても、下風路形成体２７の冷蔵室２０側に露付きが発生することが防止できる。
【００３１】
そして、複数の吹出口６１を介して冷凍室２１内に供給された冷気は、内箱４の側壁に形成された支持部６３と下縦仕切体２８の支持部３８に支持された収納容器６４内の食品などの冷凍に供されると共に矢印で示すように収納容器６４の周りから下降して、最下部の収納容器６４の下面と内箱４底面との間からこの最下部の収納容器６４の背方を経て冷凍用戻り風路６５を介して、前記冷却器１６に下方から戻るように構成される。
【００３２】
また、図６に示すように、前記左の冷蔵室２２の横仕切体９上には製氷のための水が貯留される給水タンク６８が載置されて、この給水タンク６８から供給される水を製氷する製氷機６９が冷凍室２１の上部に設けられる。６７は横仕切体９の上面の裏面側に設けられるタンクヒータで、前記給水タンク６８内の水が凍らないようにする。６６は貯氷箱で、前記製氷機６９に作られた氷を貯える容器である。
【００３３】
なお、前述したように、前記冷却器１６の下方には、霜取りヒータ４１が設けられ、右の冷蔵室２０からの冷気は導出口６０から戻り風路４５内に入って下降し、廻り込みながら冷却器１６の右下から戻るように構成されるが、図１２に示すように、前記霜取りヒータ４１の前方の下風路形成体２７の後下部は左右方向全域に亘って切除して、冷却器１６への戻り冷気が通る風路７０を形成すると共に、前記霜取りヒータ４１の前方には風路７０の後部から霜取りヒータ４１に対向するように下風路形成体２７の左右方向全域に亘って前記前カバー２３と一体に又は別体に形成した垂下片７１を下方へ垂下させる。
【００３４】
この垂下片７１は合成樹脂材料で形成し、この垂下片７１の少なくとも冷却器１６に面する側面には、熱反射性の良好な熱反射体７２であるアルミテープを貼付する。具体的には、前カバー２３の冷却器１６に面する側面、垂下片７１の冷却器１６に面する側面及び折り返して前面、前記風路７０を形成する下風路形成体２７の後下部の上面、冷却室１０を形成する内箱４の表面などに、熱反射体７２を貼付する。なお、前記冷却室１０の底面上には、冷却器１６から滴下する露を受ける露受け皿７３が設けられている。前記垂下片７１の少なくとも冷却器１６に面する側面に熱反射体７２を貼付する場合に限らず、熱反射層を形成してもよい。
【００３５】
この風路７０が無いと、冷却器１６が着霜した際に、冷却器１６の右下部が霜で塞がれてしまい、右の冷蔵室２０が冷えなくなるが、前記風路７０により冷却器１６への冷気の戻りが確実に確保できるので、この冷蔵室２０の庫内を安定して冷やすことができる。また、霜取りのために、霜取りヒータ４１が通電されると、前記垂下片７１が霜取りヒータ４１からの熱を遮ることにより、上方への熱対流が起こって暖気が上昇するので、冷却器１６の霜取り時間が短縮できる。更に、霜取りヒータ４１からの熱を垂下片７１に貼付された熱反射体７２が熱反射するので、右の冷蔵室２０及び冷凍室２１への熱漏洩を確実に防止できる。
【００３６】
次に、図１３において、９０は制御を司るＣＰＵ（セントラル・プロセッシング・ユニット）、記憶装置としてのＲＡＭ（ランダム・アクセス・メモリ）、制御プログラムを格納するＲＯＭ（リ−ド・オンリー・メモリ）などを内蔵した制御装置としてのマイクロコンピュータ（以下、「マイコン」という。）で、冷凍冷蔵庫を統括制御する。そして、このマイコン９０の入力には右の冷蔵室２０の温度を検出する右冷蔵室温度センサ８０、左の冷蔵室２２の温度を検出する左冷蔵室温度センサ８２、冷凍室２１の温度を検出する冷凍室温度センサ８１、冷凍冷蔵庫１が設置された周囲の外気温を検出する外気温度センサ８５、冷却器１６の温度を検出する霜取り用温度センサ８６、冷蔵室２２及び冷蔵室２０下部（冷気吹出口５６や貫通口５９より下方の室内空間）の室内温度を設定する冷蔵温度設定装置８４Ａ、冷凍室２１の室内温度を設定する冷凍温度設定装置８４Ｂなどが接続されている。この冷蔵温度設定装置８４Ａ、冷凍温度設定装置８４Ｂにより設定された各設定温度は、マイコン９０のＲＡＭに格納される。
【００３７】
また、マイコン９０の出力には、前記圧縮機１３、送風機１７が接続され、横仕切体９の上面の裏面側に設けられるタンクヒータ６７、前記冷却器１６の下方に設けられた霜取りヒータ４１、前記扉体３５に設けられた扉ヒータ３９、前記下縦仕切体２８の右側面の内側に配設された縦仕切側面ヒータ８７、下風路形成体２７の前面の内側であって前記冷却器１６の前方位置に配設された風路形成体霜付き除去ヒータ８８、下縦仕切体２８の前面の内側に配設された下縦仕切体当板ヒータ８９、前記連結風路形成体４２に形成された貫通口４９に配設されるダンパー４７のダンパーモータ４７Ａなどが接続されている。
【００３８】
なお、風路形成体霜付き除去ヒータヒータ８８、縦仕切側面ヒータ８７は、共に冷えすぎを防止するために、冷気吹出口５６や貫通口５９より下方に位置する冷蔵室２０下部に面している。
【００３９】
次に、図１４のフローチャートに基づいて、外気温度が高い場合であって、外気温度センサ８５で検出する外気温度と右冷蔵室温度センサ８０で検出する右の冷蔵室２０の検出室内温度との温度差が大きくなることによって、右の冷蔵室２０に対応するガラス３２を備えた扉体３５の表面に露付きが発生するのを防止する実施形態について説明する。また、右の冷蔵室２０が縦長で上下部においてある程度の温度差を持たせているが、外気温度が低いと圧縮機１３と送風機１７が停止する時間が長くなり、前記温度差が必要以上に大きくなってしまうので、右の冷蔵室２０の上下部においてある程度の希望する温度差が得られるようにする実施形態について説明する。
【００４０】
初めに、外気温度センサ８５が外気温度を検出し、また右冷蔵室温度センサ８０が右の冷蔵室２０の室内温度を検出する。そして、マイコン９０が外気温度センサ８５からの外気温度出力と右冷蔵室温度センサ８０からの冷蔵室２０の検出室内温度出力とを比較して、外気温度が冷蔵室２０の検出室内温度以下か否かが判定される。
【００４１】
そして、外気温度が冷蔵室２０の検出室内温度以下であると判定されると、マイコン９０は扉ヒータ３９をデューティ制御して、この扉ヒータ３９の通電率が７０％になるように制御し、最初に戻る。
【００４２】
次に、外気温度が冷蔵室２０の検出室内温度以下でない、即ち外気温度が検出室内温度より高いと判定されると、マイコン９０は右冷蔵室温度センサ８０からの冷蔵室２０の検出室内温度から外気温度を引いて温度差を算出する。
【００４３】
そして、この温度差が２５℃以上か否かが判定されて、外気温度が高くて２５℃以上であれば扉ヒータ３９の通電率が６０％になるように制御し、温度差が２５℃未満であれば１５℃以上か否かが判定されて、１５℃以上であれば扉ヒータ３９の通電率が５０％になるように制御する。
【００４４】
このように、外気温度が高い場合に、外気温度センサ８５で検出する外気温度と右冷蔵室温度センサ８０で検出する右の冷蔵室２０の検出室内温度との温度差が大きくなることによって、右の冷蔵室２０に対応するガラス３２を備えた扉体３５の表面に露付きが発生することがあったが、以上のように、温度差が大きければ扉ヒータ３９の通電率をより高めるように制御することによって、扉体３５の表面に露付きが発生するのを防止することができる。
【００４５】
なお、外気温度が高い場合の露付き防止のための扉ヒータ３９の通電率を変更する温度差の範囲については、上述のような範囲に限らず、もっと細かい温度差範囲として、この温度差が小さくなるに従って扉ヒータ３９の通電率を順次低くなるように変更制御してもよい。この温度差に応じて扉ヒータ３９の通電率を変更するように制御してもよい。
【００４６】
また、外気温度が低くなって、右冷蔵室温度センサ８０で検出する右の冷蔵室２０の検出室内温度から外気温度を引いた温度差が更に小さくなって、温度差が１５℃未満であれば扉ヒータ３９の通電率が７０％になるように制御し、最初に戻る。
【００４７】
このように、外気温度が低くなって、右の冷蔵室２０の検出室内温度から外気温度を引いた温度差が更に小さくなってくると、右の冷蔵室２０が縦長で上下部にある程度の温度差を持たせているが、外気温度が低いと圧縮機１３と送風機１７が停止する時間が長くなり、前記上下部の温度差が必要以上に大きくなってしまうので、扉ヒータ３９の通電率を高くすることにより、右の冷蔵室２０の室内温度を高めて、圧縮機１３と送風機１７とを運転させることにより、右の冷蔵室２０の上下部において、希望する温度差が得られる。即ち、背面上風路５５に形成された冷気吹出口５６や上縦仕切体８下部に開設された連通用の貫通口５９より上方と下方とにおいて、希望する温度差を安定して得ることができる。
【００４８】
なお、外気温度が低い場合の扉ヒータ３９の通電率を変更する温度差の範囲については、上述のような範囲に限らず、もっと細かい温度差範囲として、この温度差が小さくなるに従って扉ヒータ３９の通電率を順次高くなるように変更制御してもよい。
【００４９】
また、以上の実施形態は、外気温度が高い場合であって、外気温度センサ８５で検出する外気温度と右冷蔵室温度センサ８０で検出する右の冷蔵室２０の検出室内温度との温度差が大きくなることによって、右の冷蔵室２０に対応するガラス３２を備えた扉体３５の表面に露付きが発生するのを防止するものであり、また右の冷蔵室２０が縦長で上下部においてある程度の温度差を持たせているが、外気温度が低いと圧縮機１３と送風機１７が停止する時間が長くなり、前記温度差が必要以上に大きくなってしまうので、右の冷蔵室２０の上下部においてある程度の希望する温度差が得られるようにする実施形態である。
【００５０】
以上と同じ目的で、上記の実施形態での図１４に示す制御において、「右冷蔵室温度センサ８０で検出する右の冷蔵室２０の検出室内温度」に代えて、「冷蔵温度設定装置８４Ａにより設定された冷蔵室設定温度」を使用して、制御してもよい。
【００５１】
即ち、外気温度センサ８５が外気温度を検出し、また冷蔵温度設定装置８４Ａにより設定された冷蔵室設定温度をマイコン９０が読み込んで、外気温度センサ８５からの外気温度と冷蔵室設定温度とを比較して、外気温度が冷蔵室設定温度以下か否かが判定される。そして、外気温度が冷蔵室設定温度以下であると判定されると、マイコン９０は扉ヒータ３９をデューティ制御して、この扉ヒータ３９の通電率が７０％になるように制御し、最初に戻る。
【００５２】
次に、外気温度が冷蔵室設定温度以下でない、即ち外気温度が冷蔵室設定温度より高いと判定されると、マイコン９０は冷蔵室設定温度から外気温度を引いて温度差を算出する。そして、この温度差が２５℃以上か否かが判定されて、外気温度が高くて２５℃以上であれば扉ヒータ３９の通電率が６０％になるように制御し、温度差が２５℃未満であれば１５℃以上か否かが判定されて、１５℃以上であれば扉ヒータ３９の通電率が５０％になるように制御する。
【００５３】
このように、外気温度が高い場合に、外気温度センサ８５で検出する外気温度と冷蔵室設定温度との温度差が大きくなることによって、右の冷蔵室２０に対応するガラス３２を備えた扉体３５の表面に露付きが発生することがあったが、以上のように、温度差が大きければ扉ヒータ３９の通電率をより高めるように制御することによって、扉体３５の表面に露付きが発生するのを防止することができる。
【００５４】
また、外気温度が低くなって、冷蔵室設定温度から外気温度を引いた温度差が更に小さくなって、温度差が１５℃未満であれば扉ヒータ３９の通電率が７０％になるように制御し、最初に戻る。このように、外気温度が低くなって、冷蔵室設定温度から外気温度を引いた温度差が更に小さくなってくると、右の冷蔵室２０が縦長で上下部にある程度の温度差を持たせているが、外気温度が低いと圧縮機１３と送風機１７が停止する時間が長くなり、前記上下部の温度差が必要以上に大きくなってしまうので、扉ヒータ３９の通電率を高くすることにより、右の冷蔵室２０の室内温度を高めて、圧縮機１３と送風機１７とを運転させることにより、右の冷蔵室２０の上下部において、希望する温度差が得られる。即ち、背面上風路５５に形成された冷気吹出口５６や上縦仕切体８下部に開設された連通用の貫通口５９より上方と下方とにおいて、希望する温度差を安定して得ることができる。
【００５５】
以上のように本発明の実施態様について説明したが、上述の説明に基づいて当業者にとって種々の代替例、修正又は変形が可能であり、本発明はその趣旨を逸脱しない範囲で前述の種々の代替例、修正又は変形を包含するものである。
【符号の説明】
【００５６】
１      冷凍冷蔵庫
２      本体
４      内箱
１６    冷却器
１７    送風機
２０    冷蔵室
３５    扉体
３９    扉ヒータ
８０    右冷蔵室温度センサ
８４Ａ  冷蔵温度設定装置
８４Ｂ  冷凍温度設定装置
８４    温度設定装置
８５    外気温度センサ
９０    マイクロコンピュータ
【図１】
2010230221.tif 000003
【図２】
2010230221.tif 000004
【図３】
2010230221.tif 000005
【図４】
2010230221.tif 000006
【図５】
2010230221.tif 000007
【図６】
2010230221.tif 000008
【図７】
2010230221.tif 000009
【図８】
2010230221.tif 000010
【図９】
2010230221.tif 000011
【図１０】
2010230221.tif 000012
【図１１】
2010230221.tif 000013
【図１２】
2010230221.tif 000014
【図１３】
2010230221.tif 000015
【図１４】
2010230221.tif 000016